(57)【要約】【課題】始動入賞口への入賞機会、普通入賞口への入賞機会、あるいはゲートへの通過機会を確実に増加させ、遊技者の期待に応えることができるパチンコ遊技機を提供すること。【解決手段】パチンコ遊技機は、始動入賞口５の上方位置に、遊技盤面１ａに開口する、貫通ガイド孔２２の出口部２４を備え、出口部２４は、遊技盤面１ａ側から出口部２４に進入した遊技球を出口部２４の内部において左右方向中央位置へ誘導可能にする先端面２５ａ、２５ｂ、左側壁２６Ａ、右側壁２６Ｂを有し、出口部２４に進入した遊技球が始動入賞口５の略真上から落下するよう構成される。【選択図】図６
2010246798.tif 000002
【特許請求の範囲】
【請求項１】
遊技盤面に入賞口及び／又はゲートが設けられたパチンコ遊技機において、
前記入賞口及び／又は前記ゲートの上方位置に、前記遊技盤面に開口する開口部を備え、
該開口部は、遊技球が進入可能な進入開口部であって、前記入賞口及び／又は前記ゲートの真上位置と該真上位置から左方及び／又は右方へ延びる位置とに開口する進入開口部、及び、遊技球を排出する排出開口部であって、遊技球を前記入賞口及び／又は前記ゲートの真上位置に排出する排出開口部として構成される
ことを特徴とするパチンコ遊技機。
【請求項２】
前記開口部は、遊技球を前記入賞口及び／又は前記ゲートの真上位置へ誘導する一対のレールと、進入した遊技球を前記一対のレール上へ誘導する左右の側壁部とを備えることを特徴とする請求項１に記載のパチンコ遊技機。
【請求項３】
前記各レールの先端面は、遊技盤面に対して傾斜した傾斜面であって、前記開口部の左右方向中央部に近い側の部位が、前記開口部の左右方向端部に近い側の部位よりも後方に位置し、かつ、上側の部位が下側の部位よりも後方に位置するよう形成された傾斜面により構成されることを特徴とする請求項２に記載のパチンコ遊技機。
【請求項４】
前記開口部は、遊技球を前記入賞口及び／又は前記ゲートの真上位置へ誘導する凹条部と、進入した遊技球を前記凹条部へ誘導する傾斜床面とを備えることを特徴とする請求項１に記載のパチンコ遊技機。
【請求項５】
前記開口部は、進入した遊技球を前記凹条部へ誘導する左右の側壁部を備えることを特徴とする請求項４に記載のパチンコ遊技機。
【発明の詳細な説明】
【技術分野】
【０００１】
本発明は、遊技盤面に入賞口及び／又はゲートが設けられたパチンコ遊技機に関する。
【背景技術】
【０００２】
パチンコ遊技機として、遊技盤の遊技領域の中央部にセンター役物を配し、センター役物が、遊技盤面上からワープ通路部材を介して誘導されてきた遊技球が載るステージと、ステージ上に載った遊技球の一部を遊技盤面上の始動入賞口の真上へと誘導する貫通ガイド孔とを備え、貫通ガイド孔を通過した遊技球の大部分が始動入賞口に入賞できるようにしたパチンコ遊技機が知られている。そして、この種のパチンコ遊技機においては、始動入賞口に遊技球が入賞すると、遊技者に有利な遊技状態となる大当たりの抽選が行われる。
【発明の概要】
【発明が解決しようとする課題】
【０００３】
ところで、貫通ガイド孔は、本来、ステージ上の遊技球を始動入賞口に入賞させるために設けられたものであるが、遊技中に、始動入賞口の周囲に配された釘に跳ね返される遊技球の一部が、貫通ガイド孔の出口から貫通ガイド孔の内部に進入し、その後出口から落下して始動入賞口に入賞するケースが偶に発生している。このようなケースは、上記のように始動入賞口への入賞を契機に大当たり抽選の機会が得られることから遊技者にとって喜ばしいことである。
【０００４】
そこで、遊技者に対して上記のようなラッキーな機会を増やすことが望ましく、そのために貫通ガイド孔の出口の左右方向の幅を拡大することが考えられる。
【０００５】
しかし、単に出口の左右方向の幅を拡大した場合、遊技球が貫通ガイド孔に進入し易くなる反面、遊技球が出口から落下する位置が左右方向に拡がるため、遊技球が貫通ガイド孔に進入したものの始動入賞口に入賞できない機会が増加するという問題がある。
【０００６】
本発明は、上記のような問題点に着目し、上記貫通ガイド孔のみに限定されるものではなく、始動入賞口への入賞機会、普通入賞口への入賞機会、あるいはゲートへの通過機会を確実に増加させ、遊技者の期待に応えることができるパチンコ遊技機を提供することを目的とする。なお、ゲートは、遊技球が通過するとＯＮするゲートスイッチを備えており、ＯＮ信号を受信した遊技制御基板において、電動チューリップを所定時間開放するか否かの当たり抽選が行われる。
【課題を解決するための手段】
【０００７】
本発明のパチンコ遊技機は、遊技盤面に入賞口及び／又はゲートが設けられたパチンコ遊技機において、前記入賞口及び／又は前記ゲートの上方位置に、前記遊技盤面に開口する開口部を備え、該開口部は、遊技球が進入可能な進入開口部であって、前記入賞口及び／又は前記ゲートの真上位置と該真上位置から左方及び／又は右方へ延びる位置とに開口する進入開口部、及び、遊技球を排出する排出開口部であって、遊技球を前記入賞口及び／又は前記ゲートの真上位置に排出する排出開口部として構成されることを特徴とする。
【０００８】
本発明によると、遊技盤面側から開口部に進入した遊技球は、入賞口又はゲートの略真上から落下するようになるため、開口部の左右方向の幅を拡大させても遊技球は入賞口に入賞し易く、また、ゲートを通過し易くなる。したがって、遊技球の入賞口への入賞機会及び／又はゲートへの通過機会を確実に増加させることができ、遊技者の期待に応えることができるようになる。
【図面の簡単な説明】
【０００９】
【図１】本発明の一実施形態に係るパチンコ遊技機の遊技盤の正面図である。
【図２】同遊技盤の要部拡大図である。
【図３】センター役物の斜視図である。
【図４】図２図示IV-IV断面図である。
【図５】出口部の部分切欠斜視図である。
【図６】同出口部の内部を表す平面図であり、ステージ上からの遊技球の動きを説明するための平面図である。
【図７】同じく同出口部の内部を表す平面図であり、遊技盤面側から進入した遊技球の動きを説明するための平面図である。
【図８】同じく同出口部の内部を表す平面図であり、遊技盤面側から進入した遊技球の動きを説明するための平面図である。
【図９】他の実施形態に係る開口部の斜視図である。
【図１０】同開口部の正面図である。
【発明を実施するための形態】
【００１０】
図１において、本実施形態に係るパチンコ遊技機は、遊技盤１を備え、遊技盤１は、遊技者が、ハンドル（図示せず。）を操作することによって発射された遊技球が転動しながら落下してゆく遊技領域２を備える。
【００１１】
遊技領域２の中央部には、センター装飾部材３が配設され、センター装飾部材３の内側に、画像表示器の表示画面４が配される。表示画面４には、公知のデモ表示、第１始動入賞口５又は第２始動入賞口（電動チューリップ）６への遊技球の入賞に基づく装飾図柄の変動表示、大当たり演出などが行われる。
【００１２】
センター装飾部材３の左右中央部の下方には、第１始動入賞口５及び第２始動入賞口（電動チューリップ）６が配設される。第１始動入賞口５には、常時、遊技領域２を転動落下する遊技球が入賞可能である。第２始動入賞口６は、開閉可能に構成され、開放時のみ遊技球が入賞可能である。第１始動入賞口５又は第２始動入賞口６に遊技球が入賞すると、遊技制御基板（図示せず。）において大当たり乱数など各種乱数が取得され、大当たり乱数が所定の大当たり乱数値に該当する場合、遊技者に有利な特別遊技状態となる大当たり遊技状態が発生する。
【００１３】
また、第２始動入賞口６の下方に大入賞口（アタッカー）７が配設される。さらに、遊技領域２には、普通入賞口８、ゲート９、アウト口１０などが配設される。
【００１４】
センター装飾部材３は、下部にセンター役物２０を備えるとともに、左部にワープ通路部材３０を備える。センター役物２０は、図２〜図４に示すように、前後方向に複数段からなるステージ２１を有する。ワープ通路部材３０は、遊技盤１の盤面１ａ上と最後部のステージ２１Ａ上との間に配され、遊技盤面１ａ上の遊技球を最後部のステージ２１Ａの上まで誘導する。
【００１５】
また、センター役物２０は、左右方向中央部に貫通ガイド孔２２を有する。貫通ガイド孔２２は、最後部のステージ２１Ａ上に開口する入口部２３と、第１始動入賞口５の上方位置に開口する、換言すると遊技盤面１ａに開口する出口部２４とを有する。
【００１６】
出口部２４は、第１始動入賞口５の真上位置と、この真上位置から左方及び右方へ延びる位置とに開口しており、従来の出口部と比べ、左右方向の幅が拡大され、遊技球が進入し易い。
【００１７】
貫通ガイド孔２２は、最後部のステージ２１Ａ上に載った遊技球の一部を入口部２３から受入れ、出口部２４から排出する。出口部２４から排出された遊技球は、第１始動入賞口５に向かって落下し、第１始動入賞口５に高確率で入賞する。貫通ガイド孔２２の入口部２３に入らなかった遊技球は、最後部のステージ２１Ａ上から前方のステージ上へと移り、最終的に最前部のステージ２１Ｂ上から遊技盤面１ａ上へ落下する。最前部のステージ２１Ｂ上から落下した遊技球は、第１始動入賞口５に殆ど入賞しない。
【００１８】
貫通ガイド孔２２の出口部２４は、図５〜図８に示すように構成される。図５〜図８において、出口部２４はレール部２５を備える。レール部２５は、本実施形態では前後方向に延びる平行な２本のレール２５Ａ、２５Ｂにより構成される。２本のレール２５Ａ、２５Ｂの左方及び右方には、それぞれ左側壁２６Ａ及び右側壁２６Ｂが形成されている。各側壁２６Ａ、２６Ｂは、図６〜図８に示すように、後方へ向かうに従ってレール２５Ａ、２５Ｂに接近するようレール部２５に対して傾斜して配されている。
【００１９】
各レール２５Ａ、２５Ｂの先端面２５ａ、２５ｂは、遊技盤面１ａに対して傾斜した傾斜面であって、出口部２４の左右方向中央部に近い側の部位が、出口部２４の左右方向端部に近い側の部位よりも後方に位置し、かつ、上側の部位が下側の部位よりも後方に位置するよう形成された傾斜面により構成される。なお、貫通ガイド孔２２の出口部２４は、本発明にいう開口部に対応する。
【００２０】
次に、貫通ガイド孔２２の作用を説明する。
【００２１】
貫通ガイド孔２２は、最後部のステージ２１Ａ上から入口部２３に入った遊技球に対しては、図６に示すように、遊技球を２本のレール２５Ａ、２５Ｂの上に載せることにより遊技球の移動方向を安定化させ、出口部２４から排出する。
【００２２】
遊技中に、第１始動入賞口５の周囲の釘１１で跳ね返された遊技球が、貫通ガイド孔２２の出口部２４に進入するケースが稀に発生する。
【００２３】
このようなケースにおいて、例えば図７に示すように、遊技球が出口部２４の左右方向中央位置を右側に外れた位置から出口部２４に進入した場合、遊技球は右側壁２６Ｂに当たり、右側壁２６Ｂに沿って出口部２４の左右方向中央位置へ接近しながら奥へと移動してゆき、図８に示すように、２本のレール２５Ａ、２５Ｂの上へ移り、２本のレール２５Ａ、２５Ｂに誘導されて出口部２４の左右方向中央位置から落下するようになる。なお、遊技球が出口部２４の左右方向中央位置を左側に外れた位置から出口部２４に進入した場合も、遊技球は上記と同様に動作し、出口部２４の左右方向中央位置から落下するようになる。このため、出口部２４に進入した遊技球は、第１始動入賞口５に入賞し易くなる。
【００２４】
また、遊技球が２本のレール２５Ａ、２５Ｂの少なくとも１本のレールの先端面２５ａ、２５ｂと当たるように出口部２４に進入した場合には、各レール２５Ａ、２５Ｂの先端面２５ａ、２５ｂが上記のような傾斜面により構成されていることから、遊技球は、先端面２５ａ、２５ｂに当たった後、２本のレール２５Ａ、２５Ｂの上へと誘導され易くなる。このため、出口部２４に進入した遊技球は、第１始動入賞口５に入賞し易くなる。
【００２５】
以上説明したように、本実施形態に係るパチンコ遊技機は、遊技盤面１ａに第１始動入賞口（入賞口）５が設けられたパチンコ遊技機において、第１始動入賞口５の上方位置に、遊技盤面１ａに開口する貫通ガイド孔２２の出口部（開口部）２４を備え、出口部２４は、遊技球が進入可能な進入開口部であって、第１始動入賞口５の真上位置とこの真上位置から左方及び右方へ延びる位置とに開口する進入開口部、及び、遊技球を排出する排出開口部であって、遊技球を第１始動入賞口５の真上位置に排出する排出開口部として構成される。
【００２６】
本実施形態によると、遊技盤面１ａ側から出口部２４に進入した遊技球は、第１始動入賞口５の略真上から落下するようになるため、出口部２４の左右方向の幅を拡大させても遊技球は第１始動入賞口５に入賞し易くなる。したがって、遊技球の第１始動入賞口５への入賞機会を確実に増加させることができ、遊技者の期待に応えることができるようになる。
【００２７】
次に、他の実施形態に係る開口部を図９及び図１０に基づいて説明する。
【００２８】
図９及び図１０において、開口部３０は、四角な箱形状をしており、遊技盤１の普通入賞口８又はゲート９の上方位置に組み付けられる。
【００２９】
開口部３０は、後方から前方へ直線状に延びる凹条部３１を備える。凹条部３１は、遊技盤面１ａ上から開口部３０に進入した遊技球を、普通入賞口８又はゲート９の真上位置へ誘導する。また、開口部３０は、凹条部３１に向かって下がる傾斜床面３２Ａ、３２Ｂを備える。傾斜床面３２Ａ、３２Ｂは、進入した遊技球を凹条部３１へ誘導する。さらに、開口部３０は、後方へ向かうに従って間隔が狭くなる左右の側壁３３Ａ、３３Ｂを備える。左右の側壁３３Ａ、３３Ｂは、進入した遊技球を凹条部３１へ誘導する。
【００３０】
開口部３０は、上述した実施形態の出口部２４と同様、普通入賞口８又はゲート９の真上位置と、この真上位置から左方及び右方へ延びる位置とに開口しており、左右方向の幅が長く、遊技球が進入し易い。
【００３１】
本実施形態によっても、遊技盤面１ａ側から開口部３０に進入した遊技球は、普通入賞口８又はゲート９の略真上から落下するようになるため、開口部３０の左右方向の幅を拡大させても遊技球は普通入賞口８又はゲート９に入賞又は通過し易くなる。したがって、遊技球の普通入賞口８への入賞機会又はゲート９の通過機会を確実に増加させることができ、遊技者の期待に応えることができるようになる。
【００３２】
なお、上記実施形態では、開口部２４、３０の左右方向中央位置へ遊技球を誘導するよう構成したが、本発明は、これに限定されるものではなく、開口部２４、３０を左右方向に非対称に構成しても適用可能であり、この場合、開口部２４、３０に進入した遊技球を入賞口５、８及び／又はゲート９の真上位置へ誘導する構成を採用すればよい。
【００３３】
また、上記実施形態では、左右の側壁２６Ａ、２６Ｂ、３３Ａ、３３Ｂを対称に構成したが、左右の側壁のうちの一方の側壁を遊技盤面に対して垂直に配しかつ他方の側壁を一方の側壁に対して斜めに配し、他方の側壁に当たった遊技球を一方の側壁に接近させるよう構成してもよい。
【符号の説明】
【００３４】
１ａ    遊技盤面
５    始動入賞口（入賞口）
８    普通入賞口（入賞口）
９    ゲート
２２    貫通ガイド孔
２４    出口部（開口部）
２５Ａ、２５Ｂ    レール
２５ａ、２５ｂ    先端面
２６Ａ、２６Ｂ    側壁
３０    開口部
３１    凹条部
３２Ａ、３２Ｂ    傾斜床面
３３Ａ、３３Ｂ    側壁
【図１】
2010246798.tif 000003
【図２】
2010246798.tif 000004
【図３】
2010246798.tif 000005
【図４】
2010246798.tif 000006
【図５】
2010246798.tif 000007
【図６】
2010246798.tif 000008
【図７】
2010246798.tif 000009
【図８】
2010246798.tif 000010
【図９】
2010246798.tif 000011
【図１０】
2010246798.tif 000012